(57)【特許請求の範囲】
【請求項１】
コッヘル容器を覆うコッヘル蓋１において、前記コッヘル蓋は、前記コッヘル容器の開放された上部を覆う円形板１０と、前記円形板１０に上部中央部に脱着される取っ手２０とを備え、
前記取っ手２０は、管状の胴体１００と、前記胴体の内部に挿入された棒状の中心柱２００とを備え、
前記胴体１００には、前記胴体１００の下端部から翼状に延び前記円形板１０の上部中央部で吸着固定される軟質の吸着板１０１と；
前記胴体の下端部中央部に胴体の内部に開放連通される下部溝１０２と；
前記下部溝１０２に連通されるスライドガイド１０３と；
前記スライドガイド１０３に連通され前記胴体の上部まで開放されるようにする上部溝１０４と；が形成され、
前記中心柱２００には、前記胴体１００の上部溝１０４の内径面に間隔をおいて挿入され得るように外径面が形成された上部突出部２０１と；
前記上部突出部２０１の下端から延び前記スライドガイド１０３に挿入され空気が通るように間隔があるように外径が形成されたスライドロッド２０２と；
前記スライドロッド２０２の下端から延び前記下部溝１０２の内径面に密着挿入され得るように外径面が形成された下部突出部２０３と；が形成され、
前記取っ手２０が円形板１０に付着された状態では、前記上部突出部２０１の誤動作防止のため、前記上部突出部２０１の上端が、前記上部溝１０４の上端と等しい高さであり、
また、前記取っ手２０が円形板１０に付着された状態で前記胴体１００の下端中央部が円形板１０の上部面と間隔をおいて浮かぶように前記胴体１００の下端中央部が凹状に形成された
ことを特徴とする吸着式取っ手を備えたコッヘル蓋。
【請求項２】
前記中心柱２００のスライドロッド２０２と上部突出部２０１、下部突出部２０３との境界部分が曲面で緩やかに傾斜するように形成した
請求項１に記載の吸着式取っ手を備えたコッヘル蓋。
【請求項３】
前記円形板１０の上部中央部に環状の吸着標識部１１が形成された
請求項１に記載の吸着式取っ手を備えたコッヘル蓋。
【発明の詳細な説明】
【技術分野】
【０００１】
本発明は、吸着式取っ手を備えたコッヘル蓋に関し、さらに詳しくは、手軽に脱去が可能で、吸着板による吸着力で付着される取っ手を備え、携帯時嵩を最小化できる吸着式取っ手を備えたコッヘル蓋に関する。
【背景技術】
【０００２】
一般的に、コッヘルは、野外で炊事道具として使用するものであって、このようなコッヘルは軽くて携帯が簡便なので、登山、釣り、キャンプなど野外での飲食調理用で広く使用されている。
【０００３】
このように登山やキャンプ時に飲食を調理するために広く用いられているコッヘルは、上部に蓋を開閉可能なように結合したもので、コッヘルの内部に調理する飲食物を入れて蓋を閉じた後、登山用バーナーや携帯用ガスレンジに載せて用いている。
【０００４】
最近、国民の所得水準が向上するに従い、野外活動が多く増加し、野外炊事のためにコッヘルの使用量が増加している。このようにコッヘルの使用が増加するにつれてその形態と機能が多様なコッヘルが発売され市販されている。
【０００５】
このようなコッヘルは、円筒状の容器からなる胴体と、上記胴体の外面に調理時持つことのできる取っ手が設けられており、上部に開閉可能な蓋が配置される。
【０００６】
一般的に、コッヘルは、多様なサイズを有した容器と蓋とからなる複数個のセットの組合せで構成される。上記コッヘルは、携帯や保管の場合、嵩を最小限に減らすために、大サイズのセットの中に小サイズのセットを順に収納する構造からなるが、最終的には、すべてのセットが最も大きいサイズのセット内に全部収納される。したがって、最終的には、最も大きい一つのセットがすべてのセットを収納することになり、使用者は大きいセット一つを携帯することによって調理に必要なすべての容器セットを準備することができる便利さを有するようになる。
【０００７】
一方、大サイズのセットの中に小サイズのセットを順に収納する際、嵩の最小化のために空間を効率良くするため、突出部を最小化し密着させる形で作製している。
【０００８】
この際、コッヘル蓋は上部または側面部に取っ手を備えた円形板の形態のものが大部分である。しかしながら、取っ手は手で把持するために把持部が突出することが必須であるため、突出した取っ手によりコッヘルセットの嵩が増加する問題があった。
【０００９】
特許文献１をはじめとする従来の技術は、このような問題を解決するために、折りたたみ式取っ手を備えたり平たい取っ手を備えたりして嵩を減らすコッヘルを提案している。
【００１０】
ところで、上記の折りたたみ式取っ手や平たい取っ手もまた、突出した部分のため、依然としてコッヘルセットの嵩が増加する問題があった。
【００１１】
また、各蓋ごとにそれぞれの取っ手が設けられているので、多数の取っ手がその個数分だけ嵩を占め、嵩が増加する問題があった。
【００１２】
一方、蓋は裏返して器で使うこともあるが、取っ手部分により食卓面に安定して配置されない問題があり、露出された取っ手部分は、美観上でも、蓋を器で使うという印象のため良くない問題があった。
【先行技術文献】
【特許文献】
【００１３】
【特許文献１】韓国公開実用新案第２０−２００７−０００１２５４号
【発明の概要】
【発明が解決しようとする課題】
【００１４】
本発明は、上記の問題点を解決するためのものであって、本発明の目的は、収納する際は突出した取っ手がなくて嵩を最小化し、一つの取っ手で複数個の蓋に兼ねて使用することができ、一つの取っ手のみを携帯して嵩を最小化し、裏返して器で使う際は取っ手を脱去して安定して配置され、美観上でもきれいである吸着式取っ手を備えたコッヘル蓋を提供することにある。
【課題を解決するための手段】
【００１５】
本発明の一実施形態は、コッヘル蓋は、コッヘル容器の開放された上部を覆う円形板と、前記円形板に上部中央部に脱着される取っ手とを含み、前記取っ手は、管状の胴体と、前記胴体の内部に挿入された棒状の中心柱とを含み、前記胴体には、前記胴体の下端部から翼状に延び前記円形板の上部中央部で吸着固定される軟質の吸着板と、前記胴体の下端部中央部に胴体の内部に開放連通される下部溝と、前記下部溝に連通されるスライドガイドと、前記スライドガイドに連通され前記胴体の上部まで開放されるようにする上部溝とが形成され、前記中心柱は、吸着された状態で胴体中央部の上に押すことができるように突出するように、前記胴体の上部溝の上端部と下部溝の下端部との間の長さよりもさらに長く形成され、前記中心柱には、前記胴体の上部溝の内径面に間隔をおいて挿入され得るように外径面が形成された上部突出部と、前記上部突出部の下端から延び前記スライドガイドに挿入されてスライドされるスライドロッドと、前記スライドロッドの下端から延び前記下部溝の内径面に密着挿入され得るように外径面が形成された下部突出部とが形成されたことを特徴とする吸着式取っ手を備えたコッヘル蓋を提供する。
また、前記スライドガイドの内径が前記下部溝の内径よりも狭く形成されたことを特徴とする吸着式取っ手を備えたコッヘル蓋を提供する。
【００１６】
また、前記中心柱のスライドロッドと上部突出部、下部突出部との境界部分が曲面で緩やかに傾斜するように形成したことを特徴とする吸着式取っ手を備えたコッヘル蓋を提供する。
【００１７】
また、前記円形板の上部中央部に環状の吸着標識部が形成されたことを特徴とする吸着式取っ手を備えたコッヘル蓋を提供する。
【発明の効果】
【００１８】
本発明の一実施形態による吸着式取っ手を備えたコッヘル蓋は、吸着式で取っ手を分離結合することができ、収納する際は、取っ手を分離して、突出した取っ手がなくて嵩を最小化し、一つの取っ手で複数個の蓋に兼ねて使用することができ、一つの取っ手のみを携帯して嵩を最小化し、器で使う際は、取っ手を分離して、安定して配置され、美観上でもきれいであり、取っ手の分離は取っ手の上部の突出部を押すことで吸着力を解除する方式であって、分離過程で火傷の恐れがなく、小さい力で容易に分離することができて分離が便利であり、取っ手の結合は取っ手を円形板の中央部に配置して押すことですぐに吸着され、速くて容易に結合できる効果がある。
【図面の簡単な説明】
【００１９】
【図１】本発明の一実施例の斜視図
【図２】本発明の一実施例の斜視図
【図３】本発明の一実施例の一部分を示した部分斜視図
【図４】本発明の一実施例の一部分を示した部分斜視図
【図５】本発明の一実施例の一部分の断面を示した断面図
【図６】本発明の一実施例の一部分の断面を示した断面図
【図７】本発明の一実施例の一部分の断面を示した断面図
【図８】本発明の一実施例の一部分を示した部分斜視図
【発明を実施するための形態】
【００２０】
以下、添付の図面を参照して、本発明の好ましい実施形態を説明する。ただし、本発明の実施形態は様々な他の形態に変形されることができ、本発明の範囲が以下説明する実施形態に限定されるものではない。また、本発明の実施形態は当業界における平均的な知識を有した者に本発明をさらに完全に説明するために提供されるものである。したがって、図面における要素の形状及び大きさ等はより明確な説明のために誇張されることがあり、図面上の同じ符号で表示される要素は同じ要素である。
【００２１】
図１は本発明の一実施例の円形板１０と取っ手２０とが分離された状態を示した斜視図であり、図２は円形板１０と取っ手２０とが結合された状態を示した斜視図であり、図３は上部突出部２０１が突出した状態の取っ手２０を示した斜視図であり、図４は上部突出部２０１が陥没した状態の取っ手２０を示した斜視図であり、図５と図６は取っ手２０の垂直断面を示した断面図であり、図７は胴体１００の垂直断面を示した断面図であり、図８は中心柱を示した斜視図である。
【００２２】
図１ないし図８に示されるように、本発明の吸着式取っ手を備えたコッヘル蓋１は円形板１０と取っ手２０とを含み、取っ手２０は胴体１００と中心柱２００とを含む。
【００２３】
円形板１０はコッヘル容器の開放された上部を覆う部分で、本発明の好ましい一実施例では、円形の金属板で形成した。
【００２４】
また、上記円形板１０の上部中央部に環状の吸着標識部１１が形成され、使用者が取っ手を付着する際に中央に一致させ得るようにすることができる。
【００２５】
取っ手２０は、管状の胴体１００と、上記胴体の内部に挿入された棒状の中心柱２００とを含む部分で、上記円形板１０の上部中央部に脱着される部分であり、本発明の好ましい一実施例では、高温でも変質されず柔軟な軟質の材質であるシリコーンで形成した。
【００２６】
胴体１００は、下端部から翼状に延び上記円形板１０の上部中央部で吸着固定される軟質の吸着板１０１と、上記胴体の下端部中央部に胴体内部に開放連通される下部溝１０２と、上記下部溝１０２に連通されるスライドガイド１０３と、上記スライドガイド１０３に連通され上記胴体の上部まで開放されるようにする上部溝１０４とが形成される部分である。
【００２７】
中心柱２００は、吸着された状態で胴体中央部の上に押すことができるように突出するように、上記胴体１００の上部溝１０４の上端部と下部溝１０２の下端部との間の長さよりもさらに長く形成され、上記中心柱２００には、上記胴体１００の上部溝１０４の内径面に間隔をおいて挿入され得るように外径面が形成された上部突出部２０１と、上記上部突出部２０１の下端から延び上記スライドガイド１０３に挿入されてスライドされるスライドロッド２０２と、上記スライドロッド２０２の下端から延び上記下部溝１０２の内径面に密着挿入され得るように外径面が形成された下部突出部２０３とが形成される部分で、上記胴体１００の内部に挿入されて上下へのスライド移動を通して吸着力を解除したり維持したりすることが可能になる。
【００２８】
また、上記取っ手２０が円形板１０に付着された状態で上記胴体１００の下端中央部が円形板１０の上部面と間隔をおいて浮かぶように上記胴体１００の下端中央部が凹状に形成され、中心柱２００の上部突出部２０１を押す際、下部突出部２０３が下方へスライド移動できる間隔があって、スライド移動が可能となる。
【００２９】
また、上記中心柱２００のスライドロッド２０２と上部突出部２０１、下部突出部２０３の境界部分を曲面で緩やかに傾斜するように形成して、スライド移動がさらに円滑に行われることができる。
【００３０】
本発明の一実施例を用いる方法は次の通りである。
【００３１】
図１に示されるように、収納携帯する場合は、取っ手と円形板とが分離された状態で用いることになる。
【００３２】
図２に示されるように、調理時は、取っ手２０を円形板１０の中央部に吸着標識部１１と外郭線が一致するように結合固定して用いることになる。
【００３３】
この際、図３に示されるように、取っ手２０を下へ押して吸着固定しながら下部突出部２０３が押されて上部突出部２０１は胴体１００の上端面まで突出することになり、図５のように下部突出部２０３が下部溝１０２に密着して吸着板１０１をはじめとする胴体１００の下部に陰圧が形成され、吸着力により付着固定される。
【００３４】
上記のように、円形板１０に結合された取っ手２０を分離する際は、上部突出部２０１を押して図４のように陥没させれば、図６のように空気通路が生じて吸着部分の陰圧が消えて吸着力が解除され、円形板１０から取っ手２０が容易に分離される。
【００３５】
本発明は、上述した実施形態及び添付の図面により限定されるものではなく、添付された請求の範囲により限定しようとする。したがって、請求の範囲に記載の本発明の技術的思想を逸脱しない範囲内で当技術分野における通常の知識を有する者により多様な形態の置換、変形及び変更が可能であり、これもまた本発明の範囲に属する。
【図１】
0006469858.tif 000002
【図２】
0006469858.tif 000003
【図３】
0006469858.tif 000004
【図４】
0006469858.tif 000005
【図５】
0006469858.tif 000006
【図６】
0006469858.tif 000007
【図７】
0006469858.tif 000008
【図８】
0006469858.tif 000009